(57)【要約】      （修正有）【課題】電力会社の電気を使用することなく、太陽熱を利用した温水器から出来た温水を利用して室内を暖かくし、同時に適度な湿度も発生出来る室内空調機を提供する。【解決手段】太陽熱利用温水器５を利用して作り出した、温水にセラミックフィルター７を通過させる。その活性温水を遠赤外線を発生することが出来るセラミック粉を塗布したセラミックコートパイプ３を通過させ、発生する輻射熱を利用して床、壁、天井の全ての面を一定に暖める。セラミックフィルター７で作り出された水をコルク接合管内部２を通すことにより僅かな水分子を放出させ、室内の湿度を上昇させる。【選択図】図４
0003177034.tif 000002
【実用新案登録請求の範囲】
【請求項１】
パイプ中で温水や冷水を循環させて室内の温度を夏は涼しく、冬は暖かくしようとする空調器において、一般水道の水をセラミックフィルターの中を通過させて、分子を細かくした水を遠赤外線発生装置であるセラミック粉を塗布したパイプの中で循環させるのであるがその遠赤外線装置と分子が細かくなった水を繋ぐ部分には室内の湿度が乾燥しすぎることを防ぐために僅かな水分を放出することが出来るコルクのパッキングを使用したことを特徴とした室内空調機。
【請求項２】
前記室内空調機に利用する温水は一般電気を使用することなく太陽熱を利用した太陽熱温水器を使用することにより節電が可能となることを特徴とする請求項１記載の室内空調機。
【考案の詳細な説明】
【技術分野】
【０００１】  本考案は節電のため、一般家庭電器を使うことなく、太陽熱を利用した温水を利用して室内を乾燥させることなく、適度な湿度と適度な温度を発生して部屋内で快適な空間を維持することが出来る室内空調機に関するものである。
【背景技術】
【０００２】  従来からある一般の冷暖房機は風力を利用して大きな消費電力が必要である。【０００３】  節電ということでアルミ管表面に電界処理を施し、４０℃から５０℃くらいの低い温度の水を循環させ、遠赤外線を発生させてその輻射熱を利用して室内を暖かくさせようとしたものもある。【０００４】  室内の乾燥を防ぐために空調機とは別に加湿器を使用することもある。
【考案の概要】
【考案が解決しようとする課題】
【０００５】  一般の冷暖房機は１，０００ワット以上の大きな電力が必要で節電効果はなく、室内の空気を暖めて風力で循環させる。【０００６】  アルミ管表面に電界処理を施し、４０℃から５０℃くらいの低温度水を循環させることによって、遠赤外線を発生させてその輻射熱を利用して室内を暖かくさせようとした空調機は節電効果は有るが室内の気密性を高める必要が有るために室内の水分が乾燥して湿度が４０％以下に落ちてしまい、人体に悪影響を及ぼす危険性がある。【０００７】  加湿器を使用した時は一般水道水を水蒸気化させてその蒸気を室内に散布するという方法が殆どであるが、その場合はトリハロメタンという有毒ガスが発生するという危険性もある。
【課題を解決するための手段】
【０００８】  本考案は以上の課題を解決するために電力会社から供給される電気を使用せず太陽熱を熱源として温水を作り出し、その温水を空調機に使用する。【０００９】  本考案は温水をパイプ内で循環させて室内の温度を遠赤外線によって発生する輻射熱を利用して室内空間、つまり室内の空気を暖めるのではなく、室内の床、壁、天井の全ての面を暖めて快適な体感温度を作り出すことを目的にしたものであるが、室内を外部の空気から遮断して室内を密閉する必要がある。そのために室内が乾燥して湿度が極端に低下する恐れがあるので温水がパイプの中を循環する時にコルクの接合管を通過するようにしており、そのコルク接合管通過時に微量の水分が外部に放射されるように設計されていることを特徴とする。【００１０】  以上のようにこの室内空調機は電力会社から供給される電気を一切使用せず、風力も使用せずに部屋内の温度と湿度を調整して快適な空間を提供出来る。
【考案の効果】
【００１１】  本考案に係る室内空調機は電気を使用せず、太陽熱を利用した温水器によって作り出された温水を熱源としているのであるから大きな節電効果を得ることが出来てＣＯ２削滅効果も得ることが出来る。【００１１】  尚、太陽熱利用温水器によって作り出された温水はセラミックフィルターを通過させることによって活性化されて水の分子も極端に小さくなっている。そのため、活性化された温水はコルク接合管を通過する時に微量な水分子となりコルク接合管から室内に放射されて他の温水はパイプの中を循環して遠赤外線を発生させる。その遠赤外線の輻射熱を利用して床、壁、天井の室内全ての面を適度な温度に暖めて体感温度を高める。このようにすることによって適度な温度と適度な湿度のある快適な空間を作り出すことが出来る。
【図面の簡単な説明】
【００１２】
【図１】  本考案に係る遠赤外線発生パイプ部、接続前の概略斜視図である。
【図２】  本考案に係る遠赤外線発生パイプ部、接続前の断面図である。
【図３】  本考案に係る遠赤外線発生パイプ部、接続後の断面図である。
【図４】  本考案に係る遠赤外線発生パイプを太陽熱利用温水器で作った温水を活性化させ、更に水の分子を小さくさせるためにセラミックフィルターを通した活性温水管と接合させた時の側面、断面図である。
【考案を実施するための形態】
【００１３】  以下に、本考案に係る太陽熱、遠赤外線利用の加湿機能付き室内空調機の実施形態を図１から図４に基づいて説明する。本考案に係る遠赤外線を発生させて加湿機能を有する部分を示す図１から３においての１は活性温水を導く管であり２はその活性温水が通過する時に小さな水の分子を管の外に放射させるためのコルク接合管である。次の工程である３は遠赤外線を発生するセラミックの粉を表面に塗布した水分によって錆が発生しないもの、つまり陶器の筒やステンレス製、アウミニウム製、プラスチック製等のパイプである。
【００１４】  図４においての５は電力会社の電気を使用せず、太陽熱を利用して温水を作り出すための温水器でその６はその温水器で作られた温水を導く管である。７は温水器で作られた水は一般の水道水と変わらず、カルキやトリハロメタンを除去して水の分子を極めて小さなものにするためのセラミックフィルターである。この活性化された水を４の水を循環させるためのポンプに導き、１の活性温水管から２のコルク接合管を通じ、３のセラミックコートパイプを通過して再度、２のコルク接合管を通じて４の循環ポンプによって何度も循環する。８は何日も長い間、使用した活性水を入れ替えるための排水口である。
【００１５】  本考案の２のコルク接合部は水分放射量を増すために針のような小さな孔を多数開けて使用しても良い。コルクは天然素材で水分を吸収すると、ほんの少し膨張して僅かな孔ならその孔の径を小さくして水が漏れるようなことはなく、水の小さな分子だけを外部に放出出来るので問題はない。
【００１６】  尚、活性水を循環させるためのポンプに電力が必要となるが太陽光を利用した電力を利用してこの部分を稼働させることも可能で、これによって完全節電も可能になる。
【００１７】  このようにして、本考案の太陽熱、遠赤外線利用の加湿機能付き室内空調機を使用することによって限りあるエネルギーの節約も出来、ＣＯ２削減のお手伝いも可能である。
【符号の説明】
【００１８】１    活性温水管
２    コルク接合管
３    セラミックコートパイプ
４    活性水循環ポンプ
５    太陽熱利用温水器
６    温水管
７    セラミックフィルター
８    水入れ替え用排水口
【図１】
0003177034.tif 000003
【図２】
0003177034.tif 000004
【図３】
0003177034.tif 000005
【図４】
0003177034.tif 000006